(57)【要約】【課題】撮像条件への制限なく、撮像時間を最小限に留め、かつ定量値の精度を向上させた拡散強調画像を得る。【解決手段】磁気共鳴イメージング装置１００は、ＭＰＧパルスの強度を異ならせて、核磁気共鳴信号の計測を繰り返し行う撮像部１１４と、撮像部１１４が行う各計測で取得した核磁気共鳴信号を用いて、異なるＭＰＧパルス毎に画像を作成する画像作成部１２０と、を備える。画像作成部１２０は、ＭＰＧパルスの強度が異なる撮像毎に、計測される核磁気共鳴信号のうち画像作成に不要となる核磁気共鳴信号を判定する不要信号判定部１１１Ｃを備える。画像作成部１２０は、不要信号判定部１１１Ｃが決定した不要信号を除いた核磁気共鳴信号を用いて画像を作成する。【選択図】図１
2020005802.tif 000002
【特許請求の範囲】
【請求項１】
ＭＰＧパルスの強度を異ならせて、核磁気共鳴信号の計測を繰り返し行う撮像部と、
前記撮像部が行う各計測で取得した核磁気共鳴信号を用いて、異なるＭＰＧパルス毎に画像を作成する画像作成部と、を備え、
前記画像作成部は、前記ＭＰＧパルスの強度が異なる撮像毎に、計測される前記核磁気共鳴信号のうち画像作成に不要となる核磁気共鳴信号を判定する不要信号判定部を備え、
前記画像作成部は、前記不要信号判定部が決定した不要信号を除いた核磁気共鳴信号を用いて画像を作成することを特徴とする磁気共鳴イメージング装置。
【請求項２】
請求項１に記載の磁気共鳴イメージング装置であって、
前記不要信号判定部は、前記不要信号の取得時間を決定し、前記画像作成部は、前記不要信号の取得時間に発生する不要信号を除いた核磁気共鳴信号を用いて画像を作成することを特徴とする磁気共鳴イメージング装置。
【請求項３】
請求項２に記載の磁気共鳴イメージング装置であって、
前記不要信号判定部は、前記取得時間を、前記撮像部が検査対象から収集したR波からの遅延時間に基づいて決定することを特徴とする磁気共鳴イメージング装置。
【請求項４】
請求項３に記載の磁気共鳴イメージング装置であって、
前記不要信号判定部は、スライス毎にそれぞれ前記取得時間を決定することを特徴とする磁気共鳴イメージング装置。
【請求項５】
請求項４に記載の磁気共鳴イメージング装置であって、
前記不要信号判定部は、撮像領域を複数に分割し、分割された領域毎にそれぞれ不要信号の取得時間を決定することを特徴とする磁気共鳴イメージング装置。
【請求項６】
請求項２から５のいずれか１項に記載の磁気共鳴イメージング装置であって、
前記撮像部は、前記不要信号判定部が決定した前記取得時間を除いて、前記核磁気共鳴信号の計測を行うことを特徴とする磁気共鳴イメージング装置。
【請求項７】
請求項２から５のいずれか１項に記載の磁気共鳴イメージング装置であって、
前記撮像部は、連続して前記核磁気共鳴信号の計測を行い、
前記画像作成部は、連続して計測された前記核磁気共鳴信号のうち、前記不要信号判定部が決定した前記取得時間に計測された核磁気共鳴信号を除いて、画像を作成することを特徴とする磁気共鳴イメージング装置。
【請求項８】
請求項２から７のいずれか１項に記載の磁気共鳴イメージング装置であって、
前記不要信号判定部は、前記核磁気共鳴信号の信号値について設定した閾値と前記核磁気共鳴信号の信号値とを比較して、前記不要信号を決定することを特徴とする磁気共鳴イメージング装置。
【請求項９】
請求項８に記載の磁気共鳴イメージング装置であって、
操作者から前記閾値の設定を受け付ける受付部をさらに備えることを特徴とする磁気共鳴イメージング装置。
【請求項１０】
請求項７に記載の磁気共鳴イメージング装置であって、
前記不要信号判定部は、連続して計測された前記核磁気共鳴信号から実空間プロファイルを生成し、前記不要信号により形成された不要領域を決定することを特徴とする磁気共鳴イメージング装置。
【請求項１１】
請求項１に記載の磁気共鳴イメージング装置であって、
前記不要信号判定部は、前記核磁気共鳴信号を積算して作成した画像の画素ごとに設定した閾値を用いて前記不要信号の有無を決定することを特徴とする磁気共鳴イメージング装置。
【請求項１２】
請求項１１に記載の磁気共鳴イメージング装置であって、
操作者から前記閾値の設定を受け付ける受付部をさらに備えることを特徴とする磁気共鳴イメージング装置。
【請求項１３】
請求項１２に記載の磁気共鳴イメージング装置であって、
前記画像作成部は、前記受付部が受け付けた前記閾値の変更内容に基づいて、前記画像を随時作成することを特徴とする磁気共鳴イメージング装置。
【発明の詳細な説明】
【技術分野】
【０００１】
本発明は磁気共鳴イメージング装置（以下、ＭＲＩ装置という）に関し、特に、拡散強調画像の測定技術に関する。
【背景技術】
【０００２】
ＭＲＩ装置で得られる画像の一つに、拡散強調画像（Diffusion Weighted Image: DWI）がある。拡散強調画像は、MPG: Motion Probing Gradientと呼ばれる傾斜磁場パルスを印加して自由に拡散しているプロトンを抑制することにより得られる。そのため拡散強調画像の撮像では、拡散が抑制されている腫瘍などの組織の信号が高信号に取得される。
【０００３】
拡散強調撮像では、プロトンの拡散からだけでなく、撮像領域の呼吸動や拍動等の体動による動きからも信号が低下して画像が暗くなるため、体動による信号低下の影響を受けやすい検査対象の診断には向いていなかった。また、拡散強調撮像では、拡散係数（apparent diffusion coefficient: ADC）などの定量解析値も診断に用いられているが、上述した信号低下は定量解析値の精度も低下させる。
【０００４】
そこで呼吸動による画質低下を防ぐ撮像方法として、呼吸に同期して撮像する方法（特許文献１）や、検査対象からの信号を積算する回数を増加させて拡散強調画像を得る方法（特許文献２）が用いられるようになった。
【先行技術文献】
【特許文献】
【０００５】
【特許文献１】特開２００７−０２９２５０号公報
【特許文献２】特開２００５−２５３８０２号公報
【発明の概要】
【発明が解決しようとする課題】
【０００６】
上述した特許文献１、２の撮像方法では、拍動の影響を受ける腹部（特に肝左葉）などの領域で拡散強調撮像を実施すると、拍動の影響を受けて信号が低下した画像が描出され、精密な診断が行えない。
【０００７】
また、呼吸動と拍動との両方に同期して撮像を行う方法もあるが、この方法では、呼吸動に同期した信号取得タイミングと拍動に同期した信号取得タイミングの両方が重なるタイミングで信号を取得するため、撮像時間がかかり、撮像効率が悪い。
【０００８】
さらに、リフェーズ型ＭＰＧの印加により、拍動している領域の信号を取得するという方法もある。この方法では、エコー時間（TE）が延長するが、TEの延長は、信号低下につながるため、この方法も好ましくない。また、種々のｂ値（マルチｂ）で取得した信号をそれぞれ比較する場合、MPGの印加時間などのパラメータを一定にすることが好ましいが、リフェーズ型ＭＰＧではそれも難しい。
【０００９】
本発明は、撮像条件への制限なく、撮像時間を最小限に留め、かつ定量値の精度を向上させた拡散強調画像を得ることを目的とする。
【課題を解決するための手段】
【００１０】
上記目的を達成するために、本発明の磁気共鳴イメージング装置は、ＭＰＧパルスの強度を異ならせて、核磁気共鳴信号の計測を繰り返し行う撮像部と、撮像部が行う各計測で取得した核磁気共鳴信号を用いて、異なるＭＰＧパルス毎に画像を作成する画像作成部と、を備え、画像作成部は、ＭＰＧパルスの強度が異なる撮像毎に、計測される核磁気共鳴信号のうち画像作成に不要となる核磁気共鳴信号を判定する不要信号判定部を備え、画像作成部は、不要信号判定部が決定した不要信号を除いた核磁気共鳴信号を用いて画像を作成することを特徴とする。
【発明の効果】
【００１１】
本発明によれば、撮像条件への制限なく、撮像時間を最小限に留め、かつ定量値の精度を向上させた拡散強調画像を得ることができる。
【図面の簡単な説明】
【００１２】
【図１】本発明のＭＲＩ装置の全体構成を示すブロック図。
【図２】ＭＲＩ装置が生成する基本的な拡散強調シーケンス。
【図３】実施形態１のＭＲＩ装置が備える制御部の構成を示すブロック図。
【図４】注目領域設定用の位置決めＵＩ例。
【図５】実施形態１で生成される事前計測のシーケンス。
【図６】実施形態１のＭＲＩ装置が実施する撮像方法を示すフローチャート。
【図７】実施形態１の撮像条件を設定するために信号を除外するタイミングを決定するＵＩ例。
【図８】実施形態２のＭＲＩ装置が備える制御部の構成を示すブロック図。
【図９】実施形態２のＭＲＩ装置が実施する撮像方法を示すフローチャート。
【図１０】実施形態３のＭＲＩ装置が実施する撮像方法を示すフローチャート。
【図１１】実施形態４のＭＲＩ装置が実施する撮像方法を示すフローチャート。
【図１２】実施形態４のＭＲＩ装置で閾値を適用した際の結果表示、及び閾値変更のＵＩ例。
【発明を実施するための形態】
【００１３】
以下、本発明の一実施形態について図面を用いて説明する。
【００１４】
図１は、本実施形態のＭＲＩ装置１００の全体構成を示すブロック図である。
ＭＲＩ装置１００は、ＭＰＧパルスの強度を異ならせて、核磁気共鳴信号の計測を繰り返し行う撮像部１１４と、撮像部１１４が行う各計測で取得した核磁気共鳴信号を用いて、異なるＭＰＧパルス毎に画像を作成する画像作成部１２０とを備える。画像作成部１２０は、ＭＰＧパルスの強度が異なる撮像毎に、計測される核磁気共鳴信号のうち画像作成に不要となる核磁気共鳴信号を判定する不要信号判定部１１１Ｃを備える。画像作成部１２０は、不要信号判定部１１１Ｃが決定した不要信号を除いた核磁気共鳴信号を用いて画像を作成する。
【００１５】
撮像部１１４は、被検体１０１の検査対象を撮像する。撮像部１１４は、被検体１０１の周囲に静磁場を発生する磁石１０２と、この領域に傾斜磁場を発生する傾斜磁場コイル１０３と、被検体１０１に対して高周波磁場を印加するＲＦコイル１０４と、被検体１０１が発生するＭＲ信号を検出するＲＦプローブ１０５と、信号検出部１０６と、傾斜磁場電源１０９と、ＲＦ送信部１１０とを備える。
【００１６】
画像作成部１２０は、信号処理部１０７と、記憶装置１１５と、操作者とのやり取りを行うためのユーザインタフェース（ＵＩ）として表示部１０８や操作者からの指示を受け付ける入力部１１３を備えている。表示部１０８は、入力部１１３と一体的に構成されたタッチパネル等でもよい。さらに画像作成部１２０は、これらの動作を制御する制御部１１１を備える。
【００１７】
傾斜磁場コイル１０３は、Ｘ、Ｙ、Ｚの３方向の傾斜磁場コイルで構成され、傾斜磁場電源１０９からの信号に応じてそれぞれ傾斜磁場を発生する。ＲＦコイル１０４はＲＦ送信部１１０の信号に応じて高周波磁場を発生する。ＲＦプローブ１０５で受信した信号は、信号検出部１０６で検出され、信号処理部１０７で信号処理され、また計算により画像信号に変換され、制御部１１１で撮像画像に対する演算処理がされ、画像は表示部１０８で表示される。
【００１８】
傾斜磁場電源１０９、RF送信部１１０、信号検出部１０６は制御部１１１で制御され、制御のタイムチャートは一般にパルスシーケンスと呼ばれている。パルスシーケンスの生成に必要な撮像条件は、入力部１１３より入力し、表示部１０８で確認する。
【００１９】
さらに制御部１１１は、操作者がＵＩを操作することによる注目領域の位置やサイズ等の指示を受け付ける受付部１１１Ａと、受付部１１１Ａが受け付けた変更指示にもとづいて、撮像部１１４が実行するパルスシーケンスを変更させる変更指示部１１１Ｂと、不要信号判定部１１１Ｃを備える。
【００２０】
本実施形態では、ＣＰＵとメモリを備えた計算機が制御部１１１の機能を実現する。演算や制御のプログラムは、予め記憶装置１１５に格納しておいてもよいし、外部から取り込みＣＰＵがアップロードして実行することもできる。なお、演算部の機能の一部は、ＡＳＩＣ（Ａｐｐｌｉｃａｔｉｏｎ  Ｓｐｅｃｉｒｉｃ  Ｉｎｔｅｇｒａｔｅｄ  Ｃｉｒｃｕｉｔ）やＦＰＧＡ（Ｆｉｅｌｄ  Ｐｒｏｇｒａｍａｂｌｅ  Ｇａｔｅ  Ａｒｒａｙ）等のハードウェアで実現することも可能である。
【００２１】
ＭＲＩ装置１００は、検査対象の拡散強調画像を取得するものであり、制御部１１１の内部メモリ或いは記憶装置１１５には、例えば図２に示すような拡散強調シーケンスが格納されている。この拡散強調シーケンスを撮像部１１４が特定の条件で実行する。図中の横軸は時間軸であり、ＲＦの軸はＲＦパルスの印加、Ｇｓはスライス方向の傾斜磁場、Ｇｐは位相エンコード方向の傾斜磁場、Ｇｒは読出し（リードアウト）方向の傾斜磁場、Ｅｃｈｏはエコー信号の発生を表す。パルスシーケンスの生成に必要な撮像条件は、操作者が入力部１１３により入力し、表示部１０８で確認することができる。
【００２２】
この拡散強調シーケンスは、特定領域のプロトンをのみを励起するための励起部分２０１、発生した信号の読み出し部分２０２、及びデータ取得前に動いているプロトンの信号を抑制するためのＭＰＧパルス２０３から構成される。具体的には、まずフリップ角が９０°のＲＦパルス２０１Ａを照射し、同時に印加されるスライス選択傾斜磁場（Ｇｓ）で決まる特定の位置のスピンを励起する。その後、第１のＭＰＧパルス２０３Ａを印加する。この図ではＭＰＧパルスを複数軸に印加しているが、単軸に印加してもよい。続いてスピンの位相を反転させる１８０°ＲＦパルス２０１Ｂを照射する。そしてＭＰＧパルス２０３Ａと印加量が等しく、逆の極性を有する第２のＭＰＧパルス２０３Ｂを印加する。その後、スライス方向の傾斜磁場パルスと位相エンコード傾斜磁場パルスを印加して、信号を取得する。このようなパルスシーケンスにより、拡散強調画像を取得することができる。
【００２３】
以下の実施形態では、拡散強調画像を取得する本計測の一例としてスピンエコー（Spin echo： SE）型のエコープラナーイメージング（DW-SE-EPI）シーケンスを用いて説明するが、励起方法や読み出し方法はこれに限定されない。
【００２４】
以下、検査対象にＭＰＧパルスを印加して発生する信号のうち、検査対象の拍動に起因して発生する信号の低下を判定し、画像作成に不要となる低下した信号（不要信号）を除去して、拡散強調画像を作成する制御機能の具体的な実施形態について説明する。
【００２５】
＜実施形態１＞
図３を参照して、実施形態１のＭＲＩ装置について説明する。図３は、実施形態１のＭＲＩ装置が備える制御部の構成を示すブロック図である。
【００２６】
実施形態１のＭＲＩ装置１００は、不要信号を判定するために、拡散強調画像を取得する本計測に先立って事前計測を行い、事前計測において拍動（Ｒ波）からどれだけの遅延時間（Delay）で不要信号が生じるかを判定し、本計測では、不要信号が生じると判定された遅延時間以外のタイミングで、信号計測を行う。
【００２７】
図３に示すように、本例の不要信号判定部１１１Ｃは、ＭＰＧパルスに起因する信号から不要信号を決定する信号判定部１１１Ｄと、不要信号の検出される、R波からのDelayを算出するタイミング算出部１１１Ｅと、算出された不要信号の発生するDelay以外のタイミングで本計測を実施するよう撮像部１１４に指示する信号除去指示部１１１Ｆとを備えている。また制御部１１１は、心電電極、又は脈波センサ等、被検体１０１の拍動を検出する拍動検出センサ１０１Ｂに接続されている。
【００２８】
続いて、図１、３〜７を参照して、実施形態１のＭＲＩ装置による撮像方法について説明する。図４は、注目領域設定用の位置決めＵＩ例、図５は、実施形態１のＭＲＩ装置が生成する事前計測のシーケンス、図６は、実施形態１のＭＲＩ装置が実施する撮像方法を示すフローチャート、図７は、実施形態１の撮像条件設定するために信号を除外するタイミングを決定するＵＩ例である。ここでは、ＭＲＩ装置１００が肝臓を検査対象とし、肝臓とその周辺の拡散強調画像を選択的に描出する場合について説明する。
【００２９】
［ステップＳ６０１］
操作者が被検体１０１に拍動検出センサ１０１Ｂを装着し、被検体１０１をＭＲＩ装置１００のガントリ内に設置する。
【００３０】
［ステップＳ６０２］
操作者が、入力部１１３から、繰り返し時間（TR）、TE、位置決めや取得する信号の積算回数など、基本的な撮像条件を入力して設定してSTARTボタンを押下し、事前計測（撮像）を開始させる。
【００３１】
［ステップＳ６０３］
ステップＳ６０３では、撮像部１１４が事前計測を実施する。不要信号判定部１１１Ｃは、検査対象の領域（スライス位置）毎に、信号を取得しない遅延時間（Delay）を事前計測で決定する（詳細は以下のステップＳ６０３−１からＳ６０３−３で説明する）。
【００３２】
［ステップＳ６０３−１］
ＭＲＩ装置１００は表示部１０８にＵＩとして、あらかじめ設定された撮像条件からステップＳ６０２で得られた腹部の２次元画像を例えば図４のように表示する。表示部１０８には、腹部画像、注目領域３００の境界線３０１、３０３などが表示される。
【００３３】
操作者は、この画像を見ながら表示部１０８や入力部１１３といったＵＩを用いて、表示された画像のうち注目する２次元領域（注目領域）３００の位置、アングル、サイズの設定を、スライス方向の領域毎に変更する。スライス方向の設定は各スライス個別でも良いし、肝上部、中部、下部の３箇所程度の切り分けでも良い。
【００３４】
例えば、操作者は、マウスなどの入力部１１３により、境界線３０１の位置をドラッグ＆ドロップして変更させると、受付部１１１Ａがこの変更指示を受け付けて変更指示部１１１Ｂに指示する。変更指示部１１１Ｂはこの指示に基づき、ＵＩへ表示する注目領域３００のサイズ３０２を変更させる。また、操作者が境界線３０３の位置を入力部１１３によりドラッグ＆ドロップして変更させると、境界線３０１の位置を変更したときと同様に受付部１１１Ａと変更指示部１１１Ｂが作動して、ＵＩへ表示する注目領域３００のサイズ３０４が変わる。また、操作者が入力部１１３によりアングル設定部３０５をドラッグ＆ドロップすることで、注目領域３００のアングルが変化する。これにより、注目領域３００の位置、サイズ、アングルを変更することができる。そして変更指示部１１１Ｂは、変更された注目領域３００の条件を撮像部１１４に指示する。
【００３５】
この図では、操作者が表示部１０８を見ながら入力部１１３の入力により肝臓を注目領域３００内に入れるように設定した状態を示している。なお、ステップＳ６０３−１はステップＳ６０２で他の撮像条件と共に行っても良い。
【００３６】
［ステップＳ６０３−２］
次に、ＭＲＩ装置１００は、ステップＳ６０３−１で設定された注目領域３００内の核磁気共鳴信号を取得する。
【００３７】
具体的には、注目領域３００の設定が完了したら、操作者が表示部１０８の位置決めＵＩに表示されたSTARTアイコン（不図示）を入力部１１３により押下する。すると撮像部１１４は、変更指示部１１１Ｂから受け付けた撮像条件により図５に示すようなパルスシーケンスを生成する。撮像部１１４は、注目領域３００を選択的に励起するように、２次元励起型のパルス４０１を印加する。なお、パルス４０１は、複数のパルス列によって構成されるＲＦパルス４０１Ａと、クラッシャー傾斜磁場パルス４０２と、振幅が振動する傾斜磁場パルス４０３とから実施される。パルス４０１を印加された領域は、抑制される。
【００３８】
図４に示すＵＩで設定した注目領域３００のスライス方向のサイズから、クラッシャー傾斜磁場パルス４０２の強度が決まり、境界線３０１を移動させて設定したアングルとサイズから、ブリップ傾斜磁場４０３の強度が決まる。このようなパルスシーケンスにより、注目領域３００内の肝臓とその周辺の拡散強調画像が描出される。
【００３９】
撮像部１１４は、パルス４０１の印加後、２つのＭＰＧパルス４０５Ａ、４０５Ｂを印加する。ＭＰＧパルス４０５ＡとＭＰＧパルス４０５Ｂの間に、１８０°ＲＦパルスと呼ばれるスピンの位相を反転させる高周波磁場パルス４０６を照射する。これにより、位相エンコードがカットされた１エコー分の信号を取得できる。
【００４０】
撮像部１１４は、このような信号取得を、拍動検出センサ１０１Ｂから受信したＲ波４０４からの、信号取得タイミングが異なる複数のDelayで実施する。これをステップＳ６０２で設定されたスライス数又はステップＳ６０３−１で設定された場所毎に同様に、複数のDelayで繰り返して信号を取得する。なお、ここではパルス４０１を２次元選択励起型のパルスとしたが、パルス４０１は、図２と同様の通常のスライス選択励起であってもよく、境界線３０１ではさまれた領域外をプリサチュレーションパルスで抑制することにより図４で設定された注目領域３００を選択的に励起してもよい。どの領域を励起して抑制するかは、システムが内部的に保持していてもよいし、操作者が設定してもよい。
【００４１】
［ステップＳ６０３−３］
不要信号判定部１１１Ｃは、拍動検出センサ１０１Ｂから受信した被検体１０１のＲ波を参照し、ステップＳ６０３−２で取得した信号中の不要信号と、不要信号が発生したDelayを決定する。不要信号の発生するDelayは、ステップＳ６０３−２で取得した信号データを不要信号判定部１１１Ｃがフーリエ変換して注目領域３００内を抽出し、抽出した注目領域３００の平均信号強度をDelay方向にプロットして比較することにより決定される。
【００４２】
具体的には図７に示すように、信号判定部１１１Ｄが、拍動検出センサ１０１Ｂにより受信したＲ波から、遅延時間を変えて取得した複数の信号のうち、除外対象とする不要信号を決定する。
【００４３】
不要信号の判定基準として、例えば、Delay方向の信号の最大値に対する信号の閾値が設定されている。閾値は、システムが内部的に保持している値としてもよいし、操作者によりステップＳ６０２などで事前に入力された値を受付部１１１Ａが受け付けて、記憶部１１５に保存された値としてもよい。また、比較する平均信号強度とDelayとの関係を図７のようにプロットして表示部１０８に表示することにより操作者に明示し、操作者が明示された結果から除外対象を判断しても良い。この図では、Delay方向の信号強度の最大値を基準（１００％）として、基準から既定値（８０％）以下となった平均信号値を不要信号であると判断する場合について示している。このように表示部１０８に表示した場合、操作者によりバー３０７をドラッグ＆ドロップして上下に移動させる等、ＵＩで閾値を変更できるようにしてもよい。
【００４４】
信号判定部１１１Ｄにより不要信号が決定されたら、タイミング算出部１１１Ｅが、信号値が閾値以下になった（不要信号の発生する）Delayを算出する。そして信号除去指示部１１１Ｆは、不要信号の発生するDelayを除外対象として記憶装置１１５に記憶させ、そのDelayを除いたタイミングにおいて、画像作成用の信号を取得する本計測を実施するよう撮像部１１４に指示する。
【００４５】
［ステップＳ６０４］
ＭＲＩ装置１００は、拡散強調シーケンスによる拡散強調撮像（本計測）を開始する。撮像中、撮像部１１４は、記憶部１１５に記憶した不要信号の発生するDelay以外のタイミングで信号を取得する。
【００４６】
［ステップＳ６０５］
続いて、ＭＲＩ装置１００は、ステップＳ６０４で信号の取得が完了した段階で画像を再構成して表示部１０８に表示する。具体的には、まずＲＦプローブ１０５が、発生した信号を受信して、この信号を信号検出部１０６が検出する。この信号は、信号処理部１０７で信号処理され、フーリエ変換等の画像再構成演算により画像信号に変換される。さらに、画像処理部１１３が画像信号を演算等した後、描出画像が表示部１０８に表示される。
【００４７】
このように本例の拡散強調画像の撮像方法では、R波からの不要信号のあるDelayのタイミングでデータ取得を行わないことにより、不要信号を含まない拡散強調画像を取得することができる。これにより、本撮像方法では、拍動による信号低下の影響を受けずに拡散強調画像を描出することができる。また、この方法では、TE、ｂ値など撮像条件への制限なく、撮像時間を最小限に留め、かつ定量値の精度を向上させた拡散強調画像を得ることができる。またこの方法では、R波からのDelayで除外基準を設定しているため、従来の呼吸動と拍動との両方に同期して撮像を行う方法などに比べて撮像効率が良くなる。
【００４８】
なお、腹部全体の２次元画像を描出してもよいが、上述のように肝臓とその周辺などに注目領域を絞ることにより、画像中に明るく表示されている箇所が、肝臓の中の腫瘍なのか、正常時に明るく表示される腹部の組織（脾臓など）なのかの判断が不要となるため、診断の精度が向上する。
【００４９】
さらに、同じ臓器の中でも部位ごとに拍動の影響の受けやすさが異なるため、注目領域の中をさらに複数スライスに分けて、スライス毎に不要信号の発生するDelayを算出することが好ましい。具体的には、例えば肝臓の中でも、肝右葉と肝左葉では、心臓直下に位置する肝左葉のほうが拍動の影響を受けやすいため、肝右葉と肝左葉とで分けて肝臓の画像を取得するなどにより、不要信号の発生回数を減らして撮像効率をあげることができる。
【００５０】
＜実施形態２＞
以下、図８〜９を参照し、実施形態２のＭＲＩ装置の撮像方法について、実施形態１と異なる点を説明する。図８は実施形態２のＭＲＩ装置が備える制御部１１１の構成例、図９は実施形態２のＭＲＩ装置が実施する撮像方法のフローチャートである。
【００５１】
この実施形態では、事前計測から算出された不要信号の発生するDelayにおいても本計測を実施するが、本計測が完了した後に不要信号を除外し、除外した不要信号部分を除外対象外の時間における信号により補填する点が特徴である。
【００５２】
図８に示すように、本実施形態のＭＲＩ装置１００における制御部１１１は、実施形態１で説明した制御部１１１を基本とし、信号除去指示部１１１Ｆの代わりに、本計測後に不要信号を除外する不要信号除去部１１１Ｇを備えている。
【００５３】
続いて、実施形態２のＭＲＩ装置による撮像方法について説明する。なお本方法では、実施形態１のＭＲＩ装置による撮像方法に対し、ステップＳ６０３−３において、ステップＳ６０３−２で取得したエコーを位相エンコード方向またはリードアウト方向のどちらかにのみフーリエ変換して注目領域３００内を抽出する点と、以下のステップが異なっている。その他の方法は実施形態１のＭＲＩ装置による撮像方法と同じなので、説明を省略する。
【００５４】
［ステップＳ７０４］
本方法では、ステップＳ６０４の代わりにステップＳ７０４を実施する。本方法においても、実施形態１の図７を参照して説明したのと同様に、事前計測において不要信号が発生したＲ波からのDelayが決定されている。ステップＳ７０４では図９に示すように、ＭＲＩ装置１００は、拡散強調シーケンスによる本計測を開始し、不要信号も含めた全データを取得する。撮像中、不要信号判定部１１１Ｃは、データ取得と共に各信号取得時のDelayも記憶装置１１５のデータベースに保存させる。
【００５５】
［ステップＳ７０５］
全データ取得後、不要信号除去部１１１Ｇは、取得した全信号から、ステップＳ６０３−３で決定したDelayにおける不要信号を除外して、画像を再構成する。除外対象の基準はステップＳ６０３で説明した通りである。なお、不要信号を除外するタイミングは全データ取得後に限定されず、データ計測中のある時点で不要信号を除去してもよい。その場合、本計測は一時中断状態として不要信号を除去することが好ましい。
【００５６】
［ステップＳ７０６］
このステップは任意であるが、表示部１０８は、再構成した画像を表示し、除外したエコーの信号を再取得して補填するかどうかを操作者に判断させてもよい。除外したエコーの信号を再取得して補填することにより、データが十分に積算された状態となるため、信号雑音比（signal-noise ratio: SNR）の低下による画質の低下を抑制することができる。操作者が、画質が不十分と判断した場合、不要信号除去部１１１Ｇは、撮像部１１４に除外されたデータを除外対象外のタイミングで再度取得させて補填し、全データが除外対象外となるまで撮像を実行させる。
【００５７】
不要信号除去部１１１Ｇは、全データが取得できた段階で画像を再構成し、表示部１０８に表示する。そして記憶装置１１５が、再構成した画像をデータベースに保存する。
【００５８】
本実施形態では、本計測時に少なくとも一定以上のデータを取得した後に不要信号を除外するため、信号を取得するか否かについて、R波検出直後に判断しなくてよい。そのため本実施形態では、R波検出直後に信号取得の可否を判断する場合に比べて判断時間に余裕があり、システムの高速な応答が要求されない。反対に、R波検出直後に信号の取得有無を判断するための処理が間に合わず遅延が生じることを抑制できるので、処理速度をより速めることができる。
【００５９】
＜実施形態３＞
以下、図１０を参照し、実施形態３のＭＲＩ装置の撮像方法について説明する。実施形態３は、実施形態２のＭＲＩ装置の撮像方法を基本として、上述した実施形態２のステップＳ６０３で、リードアウト方向の平均信号強度を比較せず、リードアウト方向の位値毎に不要信号の有無を判断する点が特徴である。
【００６０】
［ステップＳ６０３Ｂ］
信号判定部１１１Ｄは、取得した信号をリードアウト方向にのみフーリエ変換することにより、実空間プロファイルを生成し、実空間の位置毎に実施形態２と同様にDelay間の信号を比較する。生成された実空間プロファイルのうち、不要信号により形成された領域（不要領域）は、不要信号が発生したDelayとは他のDelayよりも信号値が低くなる。よって、信号判定部１１１Ｄは、Delayと領域の2つについて信号を比較し、信号値が低いDelayとそのときのDelayにおける不要領域を抽出することにより、複数Delayの実空間プロファイルから不要領域を抽出することができる。信号判定部１１１Ｄにより判断された不要領域及びDelayは、記憶装置１１５のデータベースに保存される。
【００６１】
［ステップＳ７０５Ｂ］
本計測で全エコーを取得した後、不要信号除去部１１１Ｇは、取得した信号を、抽出された不要信号を除外した状態で加算平均する。不要信号を除外しても、不要領域と同じ領域で不要信号以外の信号が加算平均されるため、十分に画像を再構成することができる。
【００６２】
このように、この実施形態による撮像方法では、実空間プロファイルから不要領域を抽出し除外することにより、不要信号以外の信号から形成されたピクセルのSNRが担保されるので、SNR低下を不要領域にのみ限定できる。よって、画像全体のSNR低下による画質低下を抑制することができる。
【００６３】
＜実施形態４＞
以下、図１１、１２を参照し、実施形態４のＭＲＩ装置の撮像方法について説明する。本実施形態は、事前計測することなく不要信号判定部１１１Ｃが、核磁気共鳴信号を積算して作成した画像の画素ごとに、画素値に設定した閾値を用いて、不要信号の有無を決定する点が特徴である。図１１は、実施形態４のＭＲＩ装置が実施する撮像方法のフローチャート、図１２は、実施形態４のＭＲＩ装置で閾値を適用した際の結果表示及び閾値変更のＵＩ例である。
【００６４】
実施形態４の制御部１１１は、図８に示した信号判定部１１１Ｄ、タイミング算出部１１１Ｅを備えておらず、図１１に示すように、不要信号除去部１１１Ｇが、信号の複数積算時にピクセル毎に積算方向に信号を比較し、所定の閾値以下となった画素値の信号を除外する。体幹部の拡散強調撮像は一般に、複数積算であることが多く、不要信号が生じる時間は心拍のR-R間隔に比べて短いので、同一位置のピクセルデータを積算方向に比較することで、そのピクセルデータが除外対象であるかどうかを判断できる。
【００６５】
［ステップＳ８０２］
操作者が入力部１１３からTR、TE、位置決めや信号の積算回数の設定など基本的な条件を入力して設定した後、撮像をSTARTさせる。積算方向に統計的な処理を行うため、積算回数は２以上に限定する。なお、積算回数は、操作者による入力に限らず、システムが内部的に保持している値であってもよい。また、この段階で操作者は、信号を積算方向に比較して除外する基準となる閾値（例えば信号の最大値に対する割合）を決定してもよい。閾値を高く設定することで、除外対象が増えるのでSNRは低下するが、解析値などの精度を高めることができる。反対に、閾値を低く設定すると解析値などの精度が下がるが、除外対象が減るので、SNRが向上する。また、閾値は腹部、頭部など撮像部位に応じた値を記憶部１１５が保持していてもよい。
【００６６】
［ステップＳ６０３−１］
本実施形態において、本ステップの実施は任意である。操作者がステップＳ８０２で注目領域を指定した場合、後で説明するステップＳ８０５において、積算方向の信号値の比較を行うピクセルを設定された注目領域に限定することで、再構成にかかる処理時間を短縮することができる。本ステップを省略した場合は、全てのピクセルにおいて統計処理を行うため、操作者による注目領域設定の手間を省くことで操作を簡便にできる。
【００６７】
［ステップＳ８０４］
条件が設定されると、撮像部１１４は、拡散強調シーケンスによる拡散強調の本計測を開始する。このとき、撮像部１１４は、操作者がステップＳ８０２で指定した条件で全信号を取得し、複数の画像を取得する。本実施形態において、事前計測は実施しないため、事前計測分の処理時間を短縮することができる。記憶部１１５は、取得した全信号から作成される加算前の複数の画像を保持しておく。
【００６８】
［ステップＳ８０５］
全エコーの信号を取得した後、不要信号除去部１１１Ｇは、複数の画像のピクセル位置毎に積算方向に信号を比較し、閾値以下となるデータを除外して加算平均して画像を提示する。比較対象とするピクセルは、ステップＳ６０３−１で注目領域を設定している場合は設定された領域のみ対象とし、注目領域が設定されていない場合は全ピクセルを対象とする。
【００６９】
［ステップＳ８０６］
操作者が提示された画像が許容できる画質であると判断した場合、OKボタンを押下することで、設定された閾値で計算された画像がデータベースに保存される。操作者が提示された画像が許容できる画質でないと判断した場合、不要信号除去部１１１Ｇは、除外されたデータを再度取得して画像を再構成し、表示部１０８に再度画像を表示して操作者に判断させてもよい。
【００７０】
なお、図１２に示すようなＵＩにより操作者により閾値を変更できるようにし、変更された閾値に応じた画像を表示部１０８が随時提示してもよい。具体的には、まず閾値の初期設定を信号の中央値とした場合、中央値以下となった信号を除外して加算平均した結果を操作者に表示部１０８に提示する。操作者がＵＩに表示された矢印３０７Ｂをドラッグ＆ドロップして上下に移動させると、受付部１１１Ａが閾値の変更を受け付ける。受付部１１１Ａは、変更された閾値を不要信号除去部１１１Ｇに指示し、変更後の閾値で加算平均した画像を表示部１０８に随時提示させる。閾値の変更時に操作者が許容できる画質であると判断した際には、操作者がOKボタンを押下することで、設定された閾値で計算された画像がデータベースに保存される。操作者が閾値の変更だけでは不十分と判断した場合、操作者がContinueボタンを押下することにより、除外されたデータを再度取得して画像を再構成し、表示部１０８に再度画像を表示して操作者が判断する。
【００７１】
本実施形態によれば、信号の低下を判定して画像作成に不要となる低下した信号（不要信号）を除去するため、心電電極、又は脈波センサなどの拍動検出センサを設置して、この拍動検出センサ心電波形を取得する必要がなく、しかも拍動などの影響を低減した精度のよい拡散強調画像を作成することができる。
【符号の説明】
【００７２】
１０１・・・被検体、１０２・・・磁石、１０３・・・傾斜磁場コイル、１０４・・・ＲＦコイル、１０５・・・ＲＦプローブ、１０６・・・信号検出部、１０７・・・信号処理部、１０８・・・表示部、１０９・・・傾斜磁場電源、１１０・・・ＲＦ送信部、１１１・・・制御部、１１１Ｃ・・・不要信号判定部、１１４・・・撮像部、１２０・・・画像作成部
【図１】
2020005802.tif 000003
【図２】
2020005802.tif 000004
【図３】
2020005802.tif 000005
【図４】
2020005802.tif 000006
【図５】
2020005802.tif 000007
【図６】
2020005802.tif 000008
【図７】
2020005802.tif 000009
【図８】
2020005802.tif 000010
【図９】
2020005802.tif 000011
【図１０】
2020005802.tif 000012
【図１１】
2020005802.tif 000013
【図１２】
2020005802.tif 000014